(57)【要約】【課題】加熱部に対して均一に循環風を流して循環風の吹出風速や温風温度のムラを抑制することができることを目的とする。【解決手段】天井裏に隠蔽される浴室乾燥機のうち、風路を形成するフレーム２の内側天面３１から浴室１６側に向けてリブ状の抵抗壁２４を設けたという構成にしたことにより、吸込風２３の一部が抵抗壁２４に当たりダンパー７の前縁２５に達することなく加熱部８の方向へ流れることとなり、加熱部８に対して均一に循環風２１を流して循環風２１の吹出風速や温風温度のムラを抑制することができる浴室乾燥機を得られる。【選択図】図１
2017181020.tif 000002
【特許請求の範囲】
【請求項１】
天井に設置される浴室乾燥機において、
浴室の空気を吸い込む吸込口と、
前記吸込口から吸い込んだ空気を屋外に排出する排気口と、
前記吸込口から吸い込んだ空気を前記浴室内に循環する吹出口と、
前記吸込口と前記排気口および／または前記吹出口とを連通する風路を形成するフレームと、
前記風路内に設けられ、前記吸込口から吸い込んだ空気を前記排気口および／または前記吹出口に送風する送風部と、
前記風路内に設けられ、前記送風部からの風を前記排気口および前記吹出口に分配するダンパーと、
前記風路内に設けられ、前記吹出口から出る空気を加熱する加熱部と、
前記加熱部より風上側に、前記フレームの内側天面から前記風路側に向けてリブ状の抵抗壁を設けたことを特徴とする浴室乾燥機。
【請求項２】
前記抵抗壁の一端は、前記内側天面と接合し、
前記抵抗壁の他端は、前記ダンパーの前縁が最も接近したとき隙間を生じる位置に設けられたことを特徴とする請求項１に記載の浴室乾燥機。
【請求項３】
前記抵抗壁を設けた前記風路の風路断面積は前記排気口の排気口断面積より大きいことを特徴とする請求項１に記載の浴室乾燥機。
【請求項４】
前記排気口を形成する排気アダプターを備え、
前記フレームは、前記内側天面と、内側底面と、第１側面と、第２側面とを有し、
前記内側底面は、前記内側天面に対向する面であり、
前記第１側面は、一端が前記内側天面と接合し他端が前記内側底面と接合する面であり、
前記第２側面は、前記第１側面と対向する面である浴室乾燥機であって、
前記風路断面積は、前記抵抗壁と前記内側底面と前記第１側面と前記第２側面とで囲われた領域の断面積であり、
前記排気口断面積は、前記排気アダプターに囲われた領域の断面積であることを特徴とする請求項３に記載の浴室乾燥機。
【発明の詳細な説明】
【技術分野】
【０００１】
本発明は、浴室の天井裏に設置される浴室乾燥機に関するものである。
【背景技術】
【０００２】
従来、この種の浴室乾燥機は、ダンパーを用いて風路を切り替えることで暖房、乾燥、換気の運転を行うものが知られている（例えば、特許文献１参照）。
【０００３】
以下、その浴室乾燥機について図１５を参照しながら説明する。
【０００４】
図１５に示すように、本体１０１はフレーム１０２の内部に、送風手段としてファン１０３およびモーター１０４とを備えている。
【０００５】
循環風路１０５は、ファン１０３と浴室１１０内に面した下向きの吹出口１１２とを連通する風路を形成している。
【０００６】
排気風路１０６は、ファン１０３と斜め上向きの排気口１１３とを連通する風路を形成している。
【０００７】
ダンパー１０７は、循環風路１０５と排気風路１０６の交点に設け、浴室１１０からの吸込空気の分配を変更する。
【０００８】
加熱部１０８は、吹出口１１２の近傍に設けて浴室１１０から吸い込んだ吸込空気を加熱する。
【０００９】
抵抗壁１１１は、加熱部１０８の上流側に循環風路１０５あるいは排気風路１０６とを横断するように設けている。
【先行技術文献】
【特許文献】
【００１０】
【特許文献１】特許第５５３８６２２号公報
【発明の概要】
【発明が解決しようとする課題】
【００１１】
このような従来の浴室乾燥機においては、循環風が加熱部に対して均一に風が流れず加熱部に流れる循環風の吹出風速や温風温度にムラが生じることがあった、という課題を有していた。
【００１２】
そこで本発明は、上記従来の課題を解決するものであり、加熱部に対して均一に循環風を流して循環風の吹出風速や温風温度のムラを抑制することができる浴室乾燥機を提供することを目的とする。
【課題を解決するための手段】
【００１３】
そして、この目的を達成するために、本発明の一態様に係る浴室乾燥機は、天井に設置される浴室乾燥機において、浴室の空気を吸い込む吸込口と、前記吸込口から吸い込んだ空気を屋外に排出する排気口と、前記吸込口から吸い込んだ空気を前記浴室内に循環する吹出口と、前記吸込口と前記排気口および／または前記吹出口とを連通する風路を形成するフレームと、前記風路内に設けられ、前記吸込口から吸い込んだ空気を前記排気口および／または前記吹出口に送風する送風部と、前記風路内に設けられ、前記送風部からの風を前記排気口および前記吹出口に分配するダンパーと、前記風路内に設けられ、前記吹出口から出る空気を加熱する加熱部と、前記加熱部より風上側に、前記フレームの内側天面から前記風路側に向けてリブ状の抵抗壁を設けたこととしたものであり、これにより所期の目的を達成するものである。
【発明の効果】
【００１４】
本発明によれば、循環風の一部が抵抗壁に当たりダンパーの前縁に達することなく加熱部の方向へ流れることとなるので、加熱部に対して均一に循環風を流して循環風の吹出風速や温風温度のムラを抑制することができる、という効果を得ることができる。
【図面の簡単な説明】
【００１５】
【図１】本発明の実施の形態１の浴室乾燥機の正面から見た構成図
【図２】同浴室乾燥機の浴室への設置例を示した模式図
【図３】同浴室乾燥機のダンパーが開く方向を示した正面から見た構成図
【図４】同浴室乾燥機の２４時間換気運転時および換気運転時のダンパーの位置を示す正面から見た構成図
【図５】同浴室乾燥機の暖房運転時のダンパーの位置を示す正面から見た構成図
【図６】同浴室乾燥機の乾燥運転時のダンパーの位置を示す正面から見た構成図
【図７】同浴室乾燥機の循環換気運転時のダンパーの位置を示す正面から見た構成図
【図８】同浴室乾燥機の抵抗壁が無い場合の暖房運転時の詳細な循環風の流れを示す正面から見た構成図
【図９】同浴室乾燥機の暖房運転時の詳細な循環風の流れを示す正面から見た構成図
【図１０】同浴室乾燥機の抵抗壁が無い場合の乾燥運転時の詳細な循環風および排気風の流れを示す正面から見た構成図
【図１１】同浴室乾燥機の乾燥運転時の詳細な循環風および排気風の流れを示す正面から見た構成図
【図１２】同浴室乾燥機の正面から見た構成図
【図１３】（ａ）同浴室乾燥機のI−I断面を示す断面図（ｂ）風路断面積Ａを示す断面図
【図１４】（ａ）同浴室乾燥機のII−II断面を示す断面図（ｂ）排気口断面積Ｂを示す断面図
【図１５】従来の浴室乾燥機の正面から見た構成図
【発明を実施するための形態】
【００１６】
本発明の一態様に係る浴室乾燥機は、天井に設置される浴室乾燥機において、浴室の空気を吸い込む吸込口と、前記吸込口から吸い込んだ空気を屋外に排出する排気口と、前記吸込口から吸い込んだ空気を前記浴室内に循環する吹出口と、前記吸込口と前記排気口および／または前記吹出口とを連通する風路を形成するフレームと、前記風路内に設けられ、前記吸込口から吸い込んだ空気を前記排気口および／または前記吹出口に送風する送風部と、前記風路内に設けられ、前記送風部からの風を前記排気口および前記吹出口に分配するダンパーと、前記風路内に設けられ、前記吹出口から出る空気を加熱する加熱部と、前記加熱部より風上側に、前記フレームの内側天面から前記風路側に向けてリブ状の抵抗壁を設けたという構成を有する。
【００１７】
これにより、循環風の一部が抵抗壁に当たりダンパーの前縁に達することなく加熱部の方向へ流れることとなるので、加熱部に対して均一に循環風を流して循環風の吹出風速や温風温度のムラを抑制することができる、という効果を奏する。
【００１８】
また、前記抵抗壁の一端は、前記内側天面と接合し、前記抵抗壁の他端は、前記ダンパーの前縁が最も接近したとき隙間を生じる位置に設けられたという構成にしてもよい。
【００１９】
これにより、循環風の一部が排気風路の方向へ流れる風路を確保することができる、という効果を奏する。また、循環風の一部が抵抗壁に当たり、ダンパーの前縁に達することなく加熱部の方向へ流れるとともに、排気風の大部分が抵抗壁に沿って減速されて排気風路の方向へ流れることとなるので、加熱部に対して均一に循環風を流して循環風の吹出風速や温風温度のムラを抑制することができるとともに、排気騒音を低減することができる、という効果を奏する。
【００２０】
また、前記抵抗壁を設けた前記風路の風路断面積は前記排気口の排気口断面積より大きいという構成にしてもよい。
【００２１】
これにより、排気口から見て拡大される方向から排気風が流れることとなるので、加熱部に対して均一に循環風を流して循環風の吹出風速や温風温度のムラを抑制することができるとともに排気性能の低下を抑制することができる、という効果を奏する。
【００２２】
また、前記排気口を形成する排気アダプターを備え、前記フレームは、前記内側天面と、内側底面と、第１側面と、第２側面とを有し、前記内側底面は、前記内側天面に対向する面であり、前記第１側面は、一端が前記内側天面と接合し他端が前記内側底面と接合する面であり、前記第２側面は、前記第１側面と対向する面である浴室乾燥機であって、前記風路断面積は、前記抵抗壁と前記内側底面と前記第１側面と前記第２側面とで囲われた領域の断面積であり、前記排気口断面積は、前記排気アダプターに囲われた領域の断面積であるという構成にしてもよい。
【００２３】
これにより、加熱部に対して均一に循環風を流して循環風の吹出風速や温風温度のムラを抑制することができるとともに排気性能の低下を抑制することができる、という効果を奏する。
【００２４】
以下、本発明の実施の形態について図面を参照しながら説明する。
【００２５】
（実施の形態１）
図１に示すように、本体１は内部にフレーム２を備えている。本体１は例えば方形状である。フレーム２は例えば樹脂製であり、風路を兼ねている。
【００２６】
そして、フレーム２は内部に送風部として、ファン３とモーター４とを備えている。ファン３は例えばシロッコファンであり、モーター４は例えばＡＣモーターである。
【００２７】
そして、同じく本体１の内部には、循環風路５として、ファン３と吹出口１９とを連通する風路を設ける。吹出口１９は、例えば浴室１６に面した本体１の底面１８に設けられる。
【００２８】
そして、排気風路６として、ファン３と排気ダクト（図示せず）とを連通する風路を設ける。ファン３と排気ダクトとは排気口２０を介して連通する。排気口２０は排気アダプター４０によって形成される。また、排気口２０は例えば本体１の側面上方に設けられ、例えば屋外（図示せず）と連通する。また、排気口２０は例えば横向きである。
【００２９】
そして、フレーム２の内側天面３１には、浴室１６側に向かって突出したリブ状の抵抗壁２４を設ける。
【００３０】
抵抗壁２４の一端は、内側天面３１と接合し、抵抗壁２４の他端は、ダンパー７の前縁２５が最も接近したとき隙間を生じる位置に設けられる。
【００３１】
そして、同じく本体１は内部に、ダンパー７と、加熱部８と、温度検知手段９と、オリフィス１０と、制御基板１１と、を備えている。
【００３２】
ダンパー７は、循環風路５と排気風路６とへ、吸込空気である吸込風２３を、循環風２１と排気風２２とに分配する。
【００３３】
加熱部８は、循環風２１を加熱する。また、加熱部８は例えばＰＴＣヒーターである。
【００３４】
なお、抵抗壁２４は加熱部８より風上側すなわち循環風路５の上流側に設けられる。
【００３５】
温度検知手段９は、循環風２１の温度を検知する。温度検知手段９は、加熱部８に対してダンパー７を設けている方向すなわち風上側に配置される。また、温度検知手段９は、例えばサーミスタセンサである。
【００３６】
オリフィス１０は、吸込口３０を形成する。吸込口３０から、空気すなわち吸込風２３がファン３によって吸い込まれる。
【００３７】
制御基板１１は、本体１の運転を制御するためのマイコンやリレーやコンデンサ等を備えている。
【００３８】
そして、制御基板１１は例えば難燃性ＡＢＳ等である難燃樹脂製のケースを介して、例えばフレーム２の上部に取り付けられている。
【００３９】
よって、浴室１６の湿気や入浴時のシャワーの水の飛沫が、制御基板１１内に浸入しないように配慮されている。
【００４０】
そして、吹出口１９には、ルーバー１２を備えている。ルーバー１２は、循環風２１の吹出方向を変更する。また、ルーバー１２は例えば熱変形しにくいＰＢＴ等である難燃樹脂製で、例えば平板状である。
【００４１】
そして、ルーバー１２は図示しないルーバー駆動用ステッピングモーターと接続されている。制御基板１１からの指令によって、ルーバー駆動用ステッピングモーターを駆動させることで、あらかじめ決められた任意の角度までルーバー１２が開く。また、ユーザーが角度設定を変更することでルーバー駆動用ステッピングモーターを駆動させ、ルーバー１２によって好みの方向に風向を変化させることができる。
【００４２】
また、連続的にルーバー駆動用ステッピングモーターを駆動させることで、循環風２１の吹出方向を浴室１６の隅々に向くように広角に制御することができる。
【００４３】
そして、本体１の運転を行わない場合や、２４時間換気運転を行う場合や、換気運転を行う場合は、循環風路５に循環風２１を流す必要が無いため、意匠性を保つためルーバー１２を閉じておく。
【００４４】
暖房運転や乾燥運転を行う場合は、循環風２１を浴室１６に吹き出す方向にルーバー１２が駆動する。
【００４５】
また、浴室１６から本体１を見上げた際の意匠性を確保するために本体１の底面１８に意匠パネル１３を備えている。
【００４６】
そして、図２に示すように、運転モードの選択はコントローラ１５を用いてユーザーが行う。コントローラ１５は、通信線１４を介して制御基板１１と接続される。また、コントローラ１５は浴室１６の入り口の壁面、例えば脱衣室１７に例えばスイッチボックス（図示せず）を介して取り付けられる。
【００４７】
そして、ダンパー７は図示しないダンパー駆動用ステッピングモーターと接続されている。制御基板１１からの指令によってダンパー駆動用ステッピングモーターを駆動することで、任意の角度までダンパー７を開くことができる。
【００４８】
そして、ダンパー７を開くとは、図３に示すように、図１よりも循環風路５側に流れる風を増やすようにダンパー７を駆動させることを意味する。
【００４９】
また、本体１の運転を行わない場合は、排気ダクトから排気口２０を介して屋外からの屋外風が逆流しないよう、ダンパー７は全開の位置まで駆動しておくと良い。
【００５０】
また、暖房運転や乾燥運転や循環換気運転を行う際は、ダンパー７の角度のズレを抑制するため、一旦、ダンパー７を全閉の位置まで駆動した後、所定の位置まで開くよう開側に向けて駆動すると良い。
【００５１】
本体１は、換気運転および２４時間換気運転を行う場合は、図４に示すように、ダンパー７を全閉になるまで駆動させて吸込風２３を排気風２２として排気風路６へ導き、排気口２０から排気ダクトを介して屋外に排出する。
【００５２】
換気運転および２４時間換気運転を行う場合は循環風路５を確保する必要が無いため、意匠性の確保のためルーバー１２を閉じておく。
【００５３】
また、暖房運転を行う際は、図５に示すように、ダンパー７を全開になるまで駆動させて吸込風２３を循環風路５に導く。さらに、加熱部８への通電を行い、加熱部８によって循環風２１を加熱して温風とする。そして、ルーバー１２にて吹出風向を変化させ、浴室１６の任意の方向へ吹き出す。
【００５４】
また、乾燥運転を行う際は、図６に示すように、吸込風２３の一部を循環風２１として循環風路５へ導き加熱部８にて加熱して温風とする。さらに、吸込風２３の一部、つまり吸込風２３のうち循環風２１を除いたものを排気風２２として排気風路６へ導き、排気口２０から排気ダクトを介して屋外に排出する。
【００５５】
これにより、浴室１６内に干した衣類等の乾燥対象に温風を当てて水分を蒸発させて、浴室１６内から湿気である水分を排出する。よって、ダンパー７は半開きの位置まで駆動する。なお、乾燥運転では、循環風路５へ導かれる循環風２１を、排気風路６へ導かれる排気風２２に比べて多くしている。つまり、ダンパー７は循環風路５に多くの吸込風２３が流れる位置まで大きく開く。
【００５６】
また、循環換気運転を行う際は、図７に示すように、吸込風２３の一部を循環風２１として循環風路５へ導く。さらに、吸込風２３の一部、つまり吸込風２３のうち循環風２１を除いたものを排気風２２として排気風路６へ導き、排気口２０から排気ダクトを介して屋外に排出する。
【００５７】
これにより、浴室１６内に循環気流を発生させ、浴室１６の結露等を、循環気流が無い場合と比較してより短時間で乾かす。そのため、ダンパー７は半開きの位置まで駆動するが、この時のダンパー７は乾燥運転を行う際の角度より閉側の位置となる。
【００５８】
なお、循環換気運転では、排気風路６へ導かれる排気風２２を、循環風路５へ導かれる循環風２１に比べて多くしている。つまり、ダンパー７は排気風路６に多くの吸込風２３が流れる位置まで小さく開く。
【００５９】
また、循環換気運転では加熱部８の通電は行わない。
【００６０】
また、図８に、抵抗壁２４が無い場合の暖房運転を行う際の詳細な風の流れを示す。抵抗壁２４が無い場合、ダンパー７を全開になるまで駆動させて、吸込風２３は循環風路５に導かれる。このとき、吸込風２３はダンパー７の前縁２５まで達した後、ダンパー７に沿って加熱部８の方向へ流れる。したがって、循環風２１の風速は、加熱部８の奥側、つまりファン３から遠く離れた側が速くなる傾向がある。
【００６１】
本実施の形態１における浴室乾燥機は、図１に示したとおり、フレーム２の内側天面３１には、浴室１６側に向かって突出したリブ状の抵抗壁２４を設けている。
【００６２】
ここで、図９に本実施の形態１において、暖房運転を行う際の詳細な風の流れを示す。暖房運転を行う際、ダンパー７を全開になるまで駆動させて吸込風２３を循環風路５に導く。このとき、吸込風２３の一部が抵抗壁２４に当たることで、ダンパー７の前縁２５に達することなく加熱部８の方向へ流れる。
【００６３】
すなわち、ダンパー７の前縁２５に沿って加熱部８の奥側に高風速で到達していた循環風２１の一部が、抵抗壁２４によって前縁２５に到達しないように流れを変えられて、加熱部８の手前側、つまりファン３に近い側に到達しやすくなる。
【００６４】
よって、吸込風２３の一部を抵抗壁２４に当てて加熱部８の手前側に向けて流れるように変え、循環風２１が加熱部８の手前側へ到達しやすくする、つまり加熱部８に対して均一に循環風２１を流すことで、吹出口１９近傍での風速や温風温度を均一化することができる。
【００６５】
また、図１０には抵抗壁２４が無い場合の乾燥運転を行う際の詳細な風の流れを示す。抵抗壁２４が無い場合、乾燥運転時においてダンパー７は、図６に示すように半開きの位置まで駆動する。このとき、ダンパー７の開く位置は、ファン３から送られてフレーム２を通る吸込風２３によって、フレーム２の内側天面３１側、つまりダンパー７が開く側に向かう揚力がダンパー７に対して発生し得る位置となっている。
【００６６】
したがって、この揚力の発生を回避するためには、揚力を受けてダンパー７が開く方向に浮き上がらないようにするため、ダンパー７の開く角度を小さくさせ、揚力の発生が起こらないようにする、もしくは揚力を受けてもダンパー７が容易に動かないようにするため、図示しないダンパー駆動用ステッピングモーターについてダンパー７の位置を保持するための保持力が高いもの、例えばギヤを組み付けて保持力を高めたギヤードモーター等を使用する、または排気口２０自体を本体１の斜め上向きにして揚力発生を回避する等の方法が考えられる。
【００６７】
しかし、揚力の影響を受けないほどダンパー７の開く角度を小さくすると最適な循環風２１と排気風２２との風量分配が得られず、保持力が高いモーターを使用する方法では保持力を維持するための機構が大型化するため、モーターが大型化ないし高価格化する。また、排気口２０自体を斜め上向きにする方法では、上向きにした分だけ排気口２０が本体１に対して突出し本体１の高さが増えるため、天井裏の設置スペースに余裕が無い一般的な浴室の場合、施工できなくなるおそれがあった。
【００６８】
ここで、図１１に本実施の形態１において、乾燥運転を行う際の詳細な風の流れを示す。
【００６９】
本実施の形態１においては、排気口２０から排気ダクトを介して屋外に排出される吸込風２３の一部（排気風２２）が抵抗壁２４に当たる。排気風２２は抵抗壁２４に当たることで、一旦、浴室１６側に向けて風向を変えられた後、ダンパー７の前縁２５に向かって進み、排気風路６に流れる。つまりダンパー７と吸込風２３との迎え角が大きくなるため、ダンパー７が受ける揚力は大幅に抑制される。
【００７０】
したがって、ダンパー７を循環風２１と排気風２２との最適な風量分配が得られる開き角度にしつつ、ダンパー駆動ステッピングモーターについては、高い保持力が不要であり、小型かつ低価格のステッピングモーターを使用することを可能にしている。
【００７１】
また、上記に述べたように、乾燥運転を行う際はダンパー７が半開きの角度まで開く。そして、吸込風２３の一部を循環風２１として循環風路５へ導き加熱部８にて加熱して温風とする。さらに、吸込風２３の一部、つまり吸込風２３のうち循環風２１を除いたものを排気風２２として排気風路６へ導き、排気口２０から排気ダクトを介して屋外に排出する。乾燥運転では排気風２２に対して循環風２１のほうが多いことから、ダンパー７の開く角度は全開角度に近くなっている。
【００７２】
しかし、抵抗壁２４の他端はダンパー７の前縁２５が最も接近したとき、抵抗壁２４の他端と前縁２５との間に隙間を生じる位置に設けているため、抵抗壁２４と前縁２５が接触することはない。これにより、吸込風２３のうち循環風２１を除いたものを排気風２２として排気風路６へ導く風路を確保することができる。
【００７３】
また、暖房運転時と同様に、ダンパー７の前縁２５に沿って加熱部８の奥側に高風速で到達していた循環風２１の一部が、抵抗壁２４によって前縁２５に到達しないように流れを変えられる。これにより、ダンパー７に沿って加熱部８の奥側に高風速で到達していた風の一部が、抵抗壁２４によって流れを変えられて、加熱部８の手前側、つまりファン３に近い側に到達しやすくなる。
【００７４】
よって、風の一部を抵抗壁２４に当てて風の流れを変え、加熱部８に対して均一に循環風２１を流すことで、吹出口１９近傍での風速や温風温度を均一化することができ、温度ムラを抑制することができるとともに、排気風２２の風速を低減させることができるため、排気騒音を低減することができる。
【００７５】
ところで、先に述べたように、循環換気運転を行う際は、排気風路６へ導かれる風を、循環風路５へ導かれる風に比べて多くしているため、ダンパー７の角度は乾燥運転時より閉側の位置となる。この角度では吸込風２３とダンパー７の迎え角が小さいため、ダンパー７が揚力を発生させることが無いが、吸込風２３の一部が抵抗壁２４に当たって流れが変化した後、排気風２２として排気風路６へ導かれるため、排気抵抗の増加に繋がるおそれがあった。
【００７６】
しかし、本実施の形態１における本体１は、抵抗壁２４を設けた部分の風路の風路断面積Ａが、排気口２０の排気口断面積Ｂより大きい構成としている。
【００７７】
ここで、風路断面積Ａおよび排気口断面積Ｂについて、図１２〜図１４を用いて説明する。
【００７８】
図１３（ａ）および図１３（ｂ）は、図１２のI−I断面を示す断面図である。
【００７９】
図１３（ａ）に示すように、フレーム２は、内側底面３２と第１側面３３と第２側面３４とを有している。内側底面３２は、内側天面３１に対向する面である。第１側面３３は、一端が内側天面３１と接合し他端が内側底面３２と接合する面である。第２側面３４は、第１側面３３と対向する面である。
【００８０】
また、図１３（ｂ）に示すように、風路断面積Ａは、抵抗壁２４と内側底面３２と第１側面３３と第２側面３４とで囲われた領域の断面積である。
【００８１】
図１４（ａ）および図１４（ｂ）は、図１２のII−II断面を示す断面図である。
【００８２】
図１４（ａ）に示すように、排気口２０は、排気アダプター４０に囲われて形成される。
【００８３】
また、図１４（ｂ）に示すように、排気口断面積Ｂは、排気アダプター４０に囲われた領域の断面積である。
【００８４】
上述した通り、本実施の形態１における本体１は、風路断面積Ａが排気口断面積Ｂより大きい構成としている。そのため、排気圧損は主に排気口２０で発生することとなり、抵抗壁２４の有無は、排気圧損にはほとんど影響しないこととなる。よって、抵抗壁２４による排気性能の低下を抑制することができる。
【産業上の利用可能性】
【００８５】
本発明にかかる浴室乾燥機は、加熱部に対して均一に循環風を流して循環風の吹出風速や温風温度のムラを抑制することができることを可能とするものであるので、浴室等の乾燥を行う天井埋込型の循環換気扇等として有用である。
【符号の説明】
【００８６】
１    本体
２    フレーム
３    ファン
４    モーター
５    循環風路
６    排気風路
７    ダンパー
８    加熱部
９    温度検知手段
１０    オリフィス
１１    制御基板
１２    ルーバー
１３    意匠パネル
１４    通信線
１５    コントローラ
１６    浴室
１７    脱衣室
１８    底面
１９    吹出口
２０    排気口
２１    循環風
２２    排気風
２３    吸込風
２４    抵抗壁
２５    前縁
３０    吸込口
３１    内側天面
３２    内側底面
３３    第１側面
３４    第２側面
４０    排気アダプター
Ａ    風路断面積
Ｂ    排気口断面積
【図１】
2017181020.tif 000003
【図２】
2017181020.tif 000004
【図３】
2017181020.tif 000005
【図４】
2017181020.tif 000006
【図５】
2017181020.tif 000007
【図６】
2017181020.tif 000008
【図７】
2017181020.tif 000009
【図８】
2017181020.tif 000010
【図９】
2017181020.tif 000011
【図１０】
2017181020.tif 000012
【図１１】
2017181020.tif 000013
【図１２】
2017181020.tif 000014
【図１３】
2017181020.tif 000015
【図１４】
2017181020.tif 000016
【図１５】
2017181020.tif 000017